(57)【特許請求の範囲】
【請求項１】
無線基地局と、前記無線基地局と通信する複数の無線端末とをそなえた無線通信システムにおける上り通信方法であって、
複数の前記無線端末のそれぞれは、
他の無線端末と共用の第１の周波数リソースを用いて第１の信号を送信しうる周期的な送信タイミングで、第２の信号を送信する場合に、前記第２の信号を送信するのに用いる周波数リソースを、前記無線基地局から割り当てられた第２の周波数リソースよりも少なく前記第１の周波数リソースと重複しない第３の周波数リソースに制御し、
前記制御された第３の周波数リソースにて前記第２の信号を前記無線基地局へ送信する、
ことを特徴とする、無線通信システムにおける上り通信方法。
【請求項２】
前記第３の周波数リソースは、前記無線通信システムで利用可能なシステム周波数リソースに関する情報と、前記第１の周波数リソースの割り当てに関する情報とに基づいて、前記各無線端末が自律的に決定する、ことを特徴とする、請求項１記載の無線通信システムにおける上り通信方法。
【請求項３】
前記システム周波数リソースに関する情報、および、前記第１の周波数リソースの割り当てに関する情報は、それぞれ、前記無線基地局から通知される、ことを特徴とする、請求項２記載の無線通信システムにおける上り通信方法。
【請求項４】
前記無線基地局は、
前記システム周波数リソースに関する情報と、前記第１の周波数リソースの割り当てに関する情報とに基づいて、前記各無線端末がそれぞれ前記第２の信号を送信するのに用いる前記第３の周波数リソースを識別し、
識別した前記各第３の周波数リソースにて前記各第２の信号を受信処理する、ことを特徴とする、請求項２又は３に記載の無線通信システムにおける上り通信方法。
【請求項５】
前記無線基地局は、
前記各無線端末に対して、前記第３の周波数リソースとして用いることを禁止する第４の周波数リソースに関する情報を報知し、
前記各無線端末は、
前記第４の周波数リソースと重複しない周波数リソースに前記第３の周波数リソースを制御する、ことを特徴とする、請求項１〜４のいずれか１項に記載の無線通信システムにおける上り通信方法。
【請求項６】
前記各無線端末のそれぞれは、
前記第２の周波数リソースと前記第３の周波数リソースとの比率に応じて、前記第２の信号の送信電力を制御する、ことを特徴とする、請求項１〜５のいずれか１項に記載の無線通信システムにおける上り通信方法。
【請求項７】
前記第１の信号は、前記無線端末が前記無線基地局に対してランダムアクセスするための信号であり、前記第２の信号は、前記無線端末が前記無線基地局に対して周期的な所定の送信タイミングで再送すべきことが規定された再送信号である、ことを特徴とする、請求項１〜６のいずれか１項に記載の無線通信システムにおける上り通信方法。
【請求項８】
無線基地局と、前記無線基地局と通信する複数の無線端末とをそなえた無線通信システムであって、
前記無線端末が前記無線基地局へ周期的な送信タイミングで第１の信号を送信するのに用いる、前記無線端末に共用の第１の周波数リソースを割り当てる手段と、
前記無線端末が前記無線基地局へ第２の信号を送信するのに用いる第２の周波数リソースを割り当てる手段と、
前記各無線端末が前記第１の信号の送信タイミングで前記第２の信号を送信する場合に、前記第２の周波数リソースを、前記割り当て時よりも少なく前記第１の周波数リソースと重複しない第３の周波数リソースに制御する手段と、
をそなえたことを特徴とする、無線通信システム。
【請求項９】
前記無線基地局は、
前記各無線端末に対して、前記第３の周波数リソースとして用いることを禁止する第４の周波数リソースに関する情報を報知し、
前記各無線端末は、
前記第４の周波数リソースと重複しない周波数リソースに前記第３の周波数リソースを制御する、ことを特徴とする、請求項８記載の無線通信システム。
【請求項１０】
前記各無線端末のそれぞれは、
前記第２の周波数リソースと前記第３の周波数リソースとの比率に応じて、前記第２の信号の送信電力を制御する、ことを特徴とする、請求項８又は９に記載の無線通信システム。
【請求項１１】
無線基地局と通信する無線端末であって、
他の無線端末と共用の第１の周波数リソースを用いて第１の信号を送信しうる周期的な送信タイミングで、第２の信号を送信する場合に、前記第２の信号を送信するのに用いる周波数リソースを、前記無線基地局から割り当てられた第２の周波数リソースよりも少なく前記第１の周波数リソースと重複しない第３の周波数リソースに制御する制御手段と、
前記制御された第３の周波数リソースにて前記第２の信号を前記無線基地局へ送信する送信手段と、
をそなえたことを特徴とする、無線端末。
【請求項１２】
前記各無線端末は、
前記無線基地局から前記第３の周波数リソースとして用いることを禁止する第４の周波数リソースに関する情報を報知され、
前記第４の周波数リソースと重複しない周波数リソースに前記第３の周波数リソースを制御する、ことを特徴とする、請求項１１記載の無線端末。
【請求項１３】
前記各無線端末のそれぞれは、
前記第２の周波数リソースと前記第３の周波数リソースとの比率に応じて、前記第２の信号の送信電力を制御する、ことを特徴とする、請求項１１又は１２に記載の無線端末。
【請求項１４】
複数の無線端末と通信しうる無線基地局であって、
前記無線端末が前記無線基地局へ周期的な送信タイミングで第１の信号を送信するのに用いる、前記無線端末に共用の第１の周波数リソースと、前記無線端末が前記無線基地局へ第２の信号を送信するのに用いる第２の周波数リソースとを割り当てるリソース割当手段と、
前記各無線端末がそれぞれ、前記第１の信号の送信タイミングで前記第２の信号を送信する場合に、前記第２の周波数リソースを、前記割り当て時よりも少なく前記第１の周波数リソースと重複しない第３の周波数リソースに所定のルールに従って制御したときの前記第３の周波数リソースを、識別する識別手段と、
前記識別手段による識別結果に基づいて前記各第２の信号の受信処理を制御する受信処理制御手段と、
をそなえたことを特徴とする、無線基地局。
【請求項１５】
前記無線基地局は、
前記各無線端末に対して、前記第３の周波数リソースとして用いることを禁止する第４の周波数リソースに関する情報を報知し、前記各無線端末に、前記第４の周波数リソースと重複しない周波数リソースに前記第３の周波数リソースを制御させる、ことを特徴とする、請求項１４記載の無線基地局。
【請求項１６】
前記各無線端末のそれぞれは、
前記第２の周波数リソースと前記第３の周波数リソースとの比率に応じて、前記第２の信号の送信電力を制御する、ことを特徴とする、請求項１４又は１５に記載の無線基地局。
【発明の詳細な説明】
【技術分野】
【０００１】
本発明は、無線通信システムにおける上り通信方法並びに無線通信システム、無線端末及び無線基地局に関する。本発明は、例えば、無線端末から無線基地局への上り通信においてチャネル間の信号衝突が発生し得る無線通信システムに用いると好適である。
【背景技術】
【０００２】
無線通信システムにおいて、ユーザ端末から無線基地局への方向である上りリンクの通信に関して、下記の特許文献１，２に記載された技術がある。
【０００３】
特許文献１に記載の技術は、ユーザ端末である移動局が、無線基地局から送信許可を得るために無線基地局へ送信する要求に、又は、当該要求を送信するためのチャネルのチャネル確立要求に、上りデータを付加して送信するものである。これにより、実際の上りデータ送信までの事前のネゴシエーションによる遅延を極力抑えて、効率的な上りデータ送信、つまり、上り通信のスループットを向上することが可能となる。
【０００４】
一方、特許文献２に記載の技術は、各ユーザ（端末）に対して、連続的な周波数割り当ておよび非連続的なくしの歯状の周波数割り当てのうちの一方を行ない、端末は、その割り当てに応じて、ランダムアクセスチャネルを可変のマルチ帯域幅で送信するものである。これにより、複数の帯域幅を有するユーザをサポートすることが可能となる。
【０００５】
【特許文献１】特開２００７−６０８０号公報
【特許文献２】特開２００７−１９４７４９号公報
【発明の開示】
【発明が解決しようとする課題】
【０００６】
本発明の目的の一つは、上り通信に用いるチャネル（周波数リソース）同士（例えば、再送に用いるチャネルとランダムアクセスに用いるチャネル）の衝突（重複）を、ユーザ（端末）が自律的に回避できるようにすることにある。
また、ユーザ間で公平性が保たれるように前記衝突回避を行なうことも本発明の目的の一つである。
【０００７】
なお、前記目的に限らず、後述する発明を実施するための最良の形態に示す各構成により導かれる作用効果であって、従来の技術によっては得られない作用効果を奏することも本発明の他の目的の一つとして位置付けることができる。
【課題を解決するための手段】
【０００８】
前記目的を達成するために、本明細書では、以下に示す「無線通信システムにおける上り通信方法並びに無線通信システム、無線端末及び無線基地局」を開示する。
【０００９】
（１）即ち、ここに開示する無線通信システムにおける上り通信方法は、無線基地局と、前記無線基地局と通信する複数の無線端末とをそなえた無線通信システムにおける上り通信方法であって、複数の前記無線端末のそれぞれは、他の無線端末と共用の第１の周波数リソースを用いて第１の信号を送信しうる周期的な送信タイミングで、第２の信号を送信する場合に、前記第２の信号を送信するのに用いる周波数リソースを、前記無線基地局から割り当てられた第２の周波数リソースよりも少なく前記第１の周波数リソースと重複しない第３の周波数リソースに制御し、前記制御された第３の周波数リソースにて前記第２の信号を前記無線基地局へ送信する。
【００１０】
（２）ここで、前記第３の周波数リソースは、前記無線通信システムで利用可能なシステム周波数リソースに関する情報と、前記第１の周波数リソースの割り当てに関する情報とに基づいて、前記各無線端末が自律的に決定する、こととしてもよい。
【００１１】
（３）また、前記システム周波数リソースに関する情報、および、前記第１の周波数リソースの割り当てに関する情報は、それぞれ、前記無線基地局から通知される、こととしてもよい。
【００１２】
（４）さらに、前記無線基地局は、前記システム周波数リソースに関する情報と、前記第１の周波数リソースの割り当てに関する情報とに基づいて、前記各無線端末がそれぞれ前記第２の信号を送信するのに用いる前記第３の周波数リソースを識別し、識別した前記各第３の周波数リソースにて前記各第２の信号を受信処理する、こととしてもよい。
【００１３】
（５）また、前記無線基地局は、前記各無線端末に対して、前記第３の周波数リソースとして用いることを禁止する第４の周波数リソースに関する情報を報知し、前記各無線端末は、前記第４の周波数リソースと重複しない周波数リソースに前記第３の周波数リソースを制御する、こととしてもよい。
【００１４】
（６）さらに、前記各無線端末のそれぞれは、前記第２の周波数リソースと前記第３の周波数リソースとの比率に応じて、前記第２の信号の送信電力を制御する、こととしてもよい。
【００１５】
（７）また、前記第１の信号は、前記無線端末が前記無線基地局に対してランダムアクセスするための信号であり、前記第２の信号は、前記無線端末が前記無線基地局に対して周期的な所定の送信タイミングで再送すべきことが規定された再送信号である、こととしてもよい。
【００１６】
（８）さらに、ここに開示する無線通信システムは、無線基地局と、前記無線基地局と通信する複数の無線端末とをそなえた無線通信システムであって、前記無線端末が前記無線基地局へ周期的な送信タイミングで第１の信号を送信するのに用いる、前記無線端末に共用の第１の周波数リソースを割り当てる手段と、前記無線端末が前記無線基地局へ第２の信号を送信するのに用いる第２の周波数リソースを割り当てる手段と、前記各無線端末が前記第１の信号の送信タイミングで前記第２の信号を送信する場合に、前記第２の周波数リソースを、前記割り当て時よりも少なく前記第１の周波数リソースと重複しない第３の周波数リソースに制御する手段と、をそなえる。
【００１７】
（９）また、ここに開示する無線端末は、無線基地局と通信する無線端末であって、他の無線端末と共用の第１の周波数リソースを用いて第１の信号を送信しうる周期的な送信タイミングで、第２の信号を送信する場合に、前記第２の信号を送信するのに用いる周波数リソースを、前記無線基地局から割り当てられた第２の周波数リソースよりも少なく前記第１の周波数リソースと重複しない第３の周波数リソースに制御する制御手段と、前記制御された第３の周波数リソースにて前記第２の信号を前記無線基地局へ送信する送信手段と、をそなえる。
【００１８】
（１０）さらに、ここに開示する無線基地局は、複数の無線端末と通信しうる無線基地局であって、前記無線端末が前記無線基地局へ周期的な送信タイミングで第１の信号を送信するのに用いる、前記無線端末に共用の第１の周波数リソースと、前記無線端末が前記無線基地局へ第２の信号を送信するのに用いる第２の周波数リソースとを割り当てるリソース割当手段と、前記各無線端末がそれぞれ、前記第１の信号の送信タイミングで前記第２の信号を送信する場合に、前記第２の周波数リソースを、前記割り当て時よりも少なく前記第１の周波数リソースと重複しない第３の周波数リソースに所定のルールに従って制御したときの前記第３の周波数リソースを、識別する識別手段と、前記識別手段による識別結果に基づいて前記各第２の信号の受信処理を制御する制御手段と、をそなえる。
【発明の効果】
【００１９】
前記開示した技術によれば、第１の信号の送信に用いる周波数リソースと、第２の信号の送信に用いる周波数リソースとの重複（衝突）を、各無線端末が、他の無線端末に対する周波数リソースの割当情報を必要とせずに、自律的に回避することができる。
【００２０】
また、各無線端末がそれぞれ、公平に、第２の信号の送信に用いる周波数リソースを、無線基地局から割り当てられた周波数リソースよりも少ない周波数リソースに制御するから、一部の無線端末のみが第２の信号の送信を行なえないといった、無線端末間の不公平も発生しない。
【発明を実施するための最良の形態】
【００２１】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。
【００２２】
〔１〕概要
無線パケット伝送において、無線端末（ＵＥ：User Equipment）は、ランダムアクセスチャネル（ＲＡＣＨ）を用いて無線基地局（eNodeB：略してｅＮＢ）に対する初期アクセスを行なう。ＲＡＣＨは、送信タイミングと無線リソース（周波数帯域）とが予め決められたチャネルであり、複数のＵＥで競合的に共用される。つまり、ＵＥは、ｅＮＢに対して初期アクセスを行なう場合、予め決められた周期的な送信タイミングで、予め決められた周波数帯域を用いて信号（第１の信号）を送信する。
【００２３】
また、無線パケット伝送を行なうシステムでは、効率的な再送を行なうためにＨＡＲＱが用いられる。この再送を、予め決められた周期的な送信タイミングで、予め決められた無線リソース（周波数帯域）を用いて行なう方式を、同期ＨＡＲＱ（persistentスケジューリング）と呼ぶ。
【００２４】
例えば、ＵＥからｅＮＢへの上りリンク（ＵＬ）の通信に着目すると、ＵＥは、ｅＮＢから受信データエラーが生じたことを示すＮＡＣＫ信号を受信した場合に、受信データエラーの生じた送信済みデータの再送を行なうが、再送データ（第２の信号）は、予め決められた周期的な送信タイミングで、ｅＮＢからＵＥ個別に割り当てられたＵＬ周波数リソースを用いてｅＮＢへ送信する。
【００２５】
なお、ＲＡＣＨやＵＥが再送に用いるＵＬの無線リソース（ＵＬリソース）は、ｅＮＢから制御チャネルの情報要素としてＵＥ３０に通知（報知）することでＵＥ３０に指定することができる。ＯＦＤＭＡ（又はＯＦＤＭ）方式の場合を例にすれば、ＵＬリソースに関する情報をＵＬ−ＭＡＰの情報要素として含めることで、このような指定（リソース割当）が可能となる。なお、ＤＬリソースについては、ＤＬ−ＭＡＰにより指定可能となる。
【００２６】
ここで、同期ＨＡＲＱでは、前記再送に用いられるＵＬの周波数リソースの周期（再送周期）をｅＮＢがＲＡＣＨの割り当て状況に応じて割り当て直すこと（再スケジューリング）は行なわれない。そのため、ＵＥは、ｅＮＢから割り当てられた再送周期に従って再送を実施することになる。
【００２７】
その結果、送信タイミングによっては再送に用いる周波数リソース（以下、再送リソースともいう）とランダムアクセスに用いる周波数リソース（以下、ＲＡＣＨリソースともいう）とが重複してしまうことがある。その一例を図１の（１）に示す。
【００２８】
この図１の（１）に示す例では、１シンボル時間を単位時間と仮定して、１０シンボル時間Ｔ１毎にＲＡＣＨの送信タイミングが到来し、６シンボル時間Ｔ２（＜Ｔ１）毎に再送データの送信タイミング（再送タイミング）が到来する様子を示している。
【００２９】
即ち、Ａ，Ｂ，Ｃ，Ｄ，Ｅの各ユーザ（ＵＥ）は、周期Ｔ１で定まるいずれかの送信タイミングで、それぞれＲＡＣＨとして予め決められた共有の周波数リソースを用いてｅＮＢに対してランダムアクセス信号を送信することが可能であり、周期Ｔ２で定まるいずれかの送信タイミングで、それぞれｅＮＢから割り当てられた周波数リソース（Ａｘ，Ｂｘ，Ｃｘ，Ｄｘ，Ｅｘ：ｘ＝１，２，３，…）を用いて再送データの送信を行なうことが可能である。
【００３０】
そして、この例では、ｔ２で表されるタイミングにおいて、ユーザＡ及びＢに割り当てられた再送リソース（Ａ２，Ｂ２）と、ＲＡＣＨの周波数リソースとが重複する様子が示されている。なお、既述のとおり、同期ＨＡＲＱでは再スケジューリングは行なわれないから、以後、Ｔ１とＴ２との関係に応じた周期でＲＡＣＨリソースといずれかのユーザに割り当てられた再送リソースとの重複が周期的に生じることになる。
【００３１】
このような周波数リソースの重複が生じると、ＵＬ信号（ランダムアクセス信号と再送信号）の衝突が発生することになるため、何らかの回避策が必要になる。例えば、再送リソースがＲＡＣＨリソースと重複するタイミングでは、当該再送リソースを割り当てられたＵＥは送信を行なわないようにすることが考えられる。
【００３２】
しかしながら、その場合、ＵＬ通信のスループットが低下してしまう。また、ＲＡＣＨと重複の生じる周波数リソースを割り当てられたユーザ（図１の（１）ではユーザＢ）のみが送信不能となり、ユーザ間で不公平が生じることにもなる。
【００３３】
そこで、本実施形態では、ＲＡＣＨの送信タイミングと同期ＨＡＲＱの再送タイミングとが重なる場合に、ＵＥが、再送に用いる周波数リソース（再送リソース）を、ｅＮＢから割り当てられた周波数リソースよりも少ないリソース（つまり、狭い帯域）で、各ＵＥで共有されるＲＡＣＨの周波数リソース（以下、ＲＡＣＨリソースともいう）を避けるように制御（選択、決定）することとする。
【００３４】
例えば、図１の（１）に示したような重複が生じる場合、図１の（２）に示すように、ユーザＡ及びＢは、それぞれ、ｅＮＢから割り当てられた再送リソースよりも少なくＲＡＣＨリソースとは重複しない周波数リソースＡ２及びＢ２を再送リソースとして決定、選択することとする。かかる処理は、換言するならば、ユーザＡ及びＢは、それぞれ、ｅＮＢから割り当てられた再送リソースを縮小（圧縮）してＲＡＣＨリソースを避ける方向にシフトする制御（以下、このような制御を圧縮制御ともいう）を行なうことに相当する。
【００３５】
その際、ユーザ間の不公平をなくすために、ＲＡＣＨの送信タイミングでは、前記重複の生じていないＵＥ（他のユーザＣ，Ｄ，Ｅ）も、当該制御を行なうことが望ましい。かかる制御は、ＲＡＣＨリソースに関する情報と、システム周波数帯域においてｅＮＢが割り当て可能な再送リソース量に関する情報とをＵＥに通知すれば、これらの情報に基づいてＵＥが自律的に行なうことが可能である。
【００３６】
即ち、ｅＮＢに接続するユーザ数と、ｅＮＢがＵＥに割り当てる再送リソース数とは、時々刻々と変化するが、ＵＥは、他のＵＥに割り当てられた再送リソースに関する正確な情報（スケジューリング情報）を知らなくても、前記制御を自律的に行なうことが可能となる。
【００３７】
換言するならば、ＵＥは、各ＵＥに共通のルールに従って、ＲＡＣＨリソースと重複しない再送リソースをｅＮＢから割り当てられた再送リソースを基に選択し直すことが可能となる。そして、ｅＮＢにおいてもそのようなルールを認識していれば、ＵＥが自律的に選択した再送リソースを特定して、適切な受信処理を実施することが可能となる。
以下、詳細な一例について説明する。
【００３８】
〔２〕具体例
図２は、一実施形態に係る無線通信システムの構成を示す図で、この図２に示す無線通信システムは、少なくとも１台の無線基地局（ｅＮＢ）１０と、当該ｅＮＢ１０が形成する無線エリアにおいてｅＮＢ１０と無線リンクにより接続して通信を行なう無線端末（ＵＥ）３０とをそなえる。
【００３９】
なお、ｅＮＢ１０及びＵＥ３０はそれぞれ無線通信システムにおいて複数存在することができる。また、本例での無線基地局１０は、無線ネットワーク制御装置（ＲＮＣ）の機能の一部又は全部を具備する次世代アーキテクチャ（ＳＡＥ（System Architecture Evolution）／ＬＴＥ（Long Term Evolution））でのｅＮＢであることを想定しているが、以前の世代のアーキテクチャでの（ＲＮＣの機能が組み込まれない）基地局であっても構わない。加えて、ＵＥ３０からｅＮＢ１０への方向であるアップリンク（ＵＬ）の通信に用いる無線リソース（周波数又は周波数及び時間）の割り当てをｅＮＢ１０が行なうこととされている基地局であれば、どのシステムの基地局であっても構わない。
【００４０】
図３は、ｅＮＢ１０及びＵＥ３０の構成例を示すブロック図である。
（ｅＮＢの説明）
まず、図３において、ｅＮＢ１０に着目すると、ｅＮＢ１０は、例えば、送信系として、符号化部１１、リソースマッピング部１２、変調部１３、送信処理部（ＴＸ）１４及びアンテナ１５をそなえるとともに、受信系として、アンテナ１５、受信処理部（ＲＸ）１６、復調部１７及び復号部１８をそなえる。また、ｅＮＢ１０は、制御系として、圧縮処理計算部１９、ＵＬスケジューラ２０、ＤＬスケジューラ２１及び測定部２２をそなえる。
【００４１】
ここで、アンテナ１５は、ＵＥ３０宛のＤＬの無線信号を空間へ放射する一方、空間からＵＬの無線信号を受信するもので、送信処理部１４により得られた無線信号がＵＥ３０に向けて送信され、ＵＥ３０から受信された無線信号が受信処理部１６へ出力される。このように、アンテナ１５は、送受信共用であるが、送受信で個別のアンテナを具備していてもよい。
【００４２】
符号化部１１は、複数ユーザ（ＵＥ３０）宛の送信データをターボ符号化等の所定の符号化方式にて符号化するものである。
【００４３】
リソースマッピング部１２は、ＤＬスケジューラ２１による制御（スケジューリング）に従って、符号化部１１で得られた符号化データを所定のＤＬの無線リソースにマッピングする機能を具備する。なお、ｅＮＢ１０とＵＥ３０との間の無線リソースには、周波数及び／又は時間が含まれる。例えば、ＯＦＤＭＡ（又はＯＦＤＭ）方式を例にすれば、ＤＬ／ＵＬの無線リソースは、サブチャネル周波数とシンボル時間とで表されるバーストとして規定される。そして、ＵＥ３０がｅＮＢ１０との間の通信に用いるＤＬ／ＵＬバーストは、ＤＬ／ＵＬ−ＭＡＰと呼ばれるバーストの割当情報（制御情報）によりｅＮＢ１０からＵＥ３０に指示することができる。
【００４４】
変調部１３は、前記マッピング後の送信データ（ＤＬバースト）をＱＰＳＫや１６ＱＡＭ、６４ＱＡＭ等の所定の変調方式にて変調するものである。
【００４５】
送信処理部１４は、この変調部１３により得られた変調信号について、所定の無線フレームの生成、ＤＡ変換、無線周波数への周波数変換（アップコンバート）、電力増幅などの無線送信処理を施して、ＤＬの無線送信信号（無線パケット）を生成するものである。ＤＬの無線送信信号は、送受信アンテナ１５からＵＥ３０に向けて送信される。なお、前記無線フレームには、例えば、ＯＦＤＭＡ（又はＯＦＤＭ）、ＣＤＭＡ、ＨＳＰＡ（High Speed Packet Access）方式やこれらに準拠した無線フレーム、その他の無線フレームを適用できる。
【００４６】
受信処理部１６は、アンテナ１５により受信されたＵＬの無線信号について、低雑音増幅、ベースバンド周波数への周波数変換（ダウンコンバート）、利得調整、ＡＤ変換などを含む所定の無線受信処理を施すものである。
【００４７】
復調部１７は、受信処理部１６からの受信信号を、ＵＥ３０でのＵＬの変調方式に応じた所定の復調方式により復調するものである。復調結果（データ）には、制御チャネルのデータ（制御データ）と、データチャネルのデータ（ユーザデータ）とが含まれ、制御データはＤＬスケジューラ２１へ渡され、ユーザデータは復号部１８に渡される。
【００４８】
復号部１８は、復調部１７により得られた復調データ（ユーザデータ）を、ＵＥ３０でのＵＬの符号化方式に応じた所定の復号方式で復号するものである。
【００４９】
圧縮処理計算部（識別手段）１９は、後述するようにＵＥ３０がＲＡＣＨリソースと再送リソースとが重複するタイミングにおいて自律的に再送リソースを所定のルールに従って制御（選択）したときの、その選択リソースを特定（識別）するものである。詳細については後述する。
【００５０】
測定部２２は、ＵＬスケジューリングを要求する複数のＵＥ３０から送られてくる信号の受信レベル等の測定を行ない、ＵＬスケジューラ２０が使用する情報を作成する。
【００５１】
ＵＬスケジューラ２０は、ＵＬ通信に用いる無線リソース（ＵＬリソース）の割り当て（スケジューリング）を行なうものである。ＵＬスケジューラ２０は、ＵＬの通信を許可するＵＥ３０についてその旨とＵＥ３０が使用すべきＵＬリソースに関する情報とを含む情報（ＵＬグラント情報）を生成し、リソースマッピング部１２に転送する。
【００５２】
これにより、ＵＬグラント情報は、制御データとしてＤＬの無線フレームの所定領域にマッピングされて対象ＵＥ３０宛に送信されることとなる。ＯＦＤＭＡ方式の場合を例にすれば、ＵＬグラント情報は、ＵＬ−ＭＡＰの情報要素としてＵＥ３０に通知することができる。ＵＥ３０は、受信したＵＬグラント情報で指定されたＵＬリソースにてＵＬの送信を行なう。
【００５３】
なお、ＵＥ３０に共用のＲＡＣＨリソースに関する情報や、同期ＨＡＲＱにおけるＵＥ３０に個別の再送リソースに関する情報についても、同様の手法により、ＵＥ３０に通知することができる。例えば、図１に例示したように、ＲＡＣＨの送信周期はＴ１であり、同期ＨＡＲＱの再送周期はＴ２であることを、それぞれＵＥ３０に通知することができる。ただし、既述のとおり、同期ＨＡＲＱでは再送リソースに関する再スケジューリングは行なわない。
【００５４】
また、ＵＬスケジューラ２０は、ＵＥ３０に個別に割り当てたＵＬリソース、あるいは、前記圧縮処理計算部１９により求められた（特定された）ＵＬリソースにて個々のＵＥ３０からの受信信号を適切に復調できるように、復調部１７の動作を制御（調整）する、受信処理制御手段としての機能も具備する。
【００５５】
具体的には、ＲＡＣＨの送信タイミングと同期ＨＡＲＱの再送タイミングとが重なるために、ＲＡＣＨリソースを避けるようにＵＥ３０が制御して送信してくるタイミングにおいては、ＵＥ３０で用いた制御と同じ処理をｅＮＢ１０でも自律的に行なって、復調部１７及び復号部１８の処理を行なう。また、ｅＮＢ１０は複数のＵＥ３０の受信処理を行なうため、この処理を全てのＵＥ３０について行なうこととなる。
【００５６】
ＤＬスケジューラ２１は、ＤＬ通信に用いる無線リソース（ＤＬリソース）のスケジューリングを行なうものである。ＤＬスケジューラ２１は、ＵＥ３０が受信処理すべきＤＬリソースの割当情報を生成してリソースマッピング部１２に転送する。
【００５７】
これにより、当該割当情報は、制御データの１つとしてＤＬの無線フレームの所定領域にマッピングされて対象ＵＥ３０宛に送信される。ＯＦＤＭＡ方式の場合を例にすれば、割り当てるべきＤＬリソースに関する情報をＤＬ−ＭＡＰの情報要素として含めることでＵＥ３０に通知することができる。ＵＥ３０は、受信したＤＬ−ＭＡＰで指定されたＤＬリソースにてＤＬの受信処理を行なう。
【００５８】
（ＵＥの説明）
一方、図３に示すＵＥ３０に着目すると、本例のＵＥ３０は、例えば、送信系として、符号化部３１、リソースマッピング部３２、変調部３３、電力制御部３４、送信処理部（ＴＸ）３５及びアンテナ３６をそなえるとともに、受信系として、アンテナ３６、受信処理部（ＲＸ）３７、復調部３８及び復号部３９をそなえる。また、制御系として、ＵＬグラント抽出部４０、ＤＬ情報抽出部４１及びＵＬリソース制御部４２をそなえる。
【００５９】
ここで、アンテナ３６は、ｅＮＢ１０宛のＵＬの無線信号を空間へ放射する一方、空間からＤＬの無線信号を受信するもので、送信処理部３５により得られたＵＬの無線信号がｅＮＢ１０に向けて送信され、ｅＮＢ１０から受信されたＤＬの無線信号が受信処理部３７へ出力される。このように、アンテナ３６は、送受信共用であるが、送受信で個別のアンテナを具備していてもよい。
【００６０】
符号化部３１は、ｅＮＢ１０へ送信するデータ（ＵＬデータ）をターボ符号化等の所定の符号化方式にて符号化するものである。
【００６１】
リソースマッピング部１２は、ＵＬリソース制御部４２による制御に従って、符号化部１１で得られた符号化データを、ｅＮＢ１０から指定された（割り当てられた）ＵＬリソース、あるいは、ＲＡＣＨリソースと再送リソースとが重複する送信タイミングにおいてＲＡＣＨリソースを避けるように制御（変更）されたＵＬリソースにマッピングする機能を具備する。
【００６２】
変調部３３は、前記マッピング後の送信データをＱＰＳＫや１６ＱＡＭ、６４ＱＡＭ等の所定の変調方式にて変調するものである。
【００６３】
電力制御部３４は、ＵＬの送信電力を制御するもので、本例では、ＵＬリソース制御部４２からの制御に従って、ＵＬ送信電力を制御する。詳細については後述する。
【００６４】
送信処理部３５は、この変調部３３により得られた変調信号について、所定の無線フレームの生成、ＤＡ変換、無線周波数への周波数変換（アップコンバート）、電力増幅などの無線送信処理を施して、ＵＬの無線送信信号（無線パケット）を生成するものである。ＵＬの無線送信信号は、送受信アンテナ３６からｅＮＢ１０に向けて送信される。
【００６５】
受信処理部３７は、アンテナ３６により受信されたＤＬの無線信号について、低雑音増幅、ベースバンド周波数への周波数変換（ダウンコンバート）、利得調整、ＡＤ変換などを含む所定の無線受信処理を施すものである。
【００６６】
復調部３８は、受信処理部３７からの受信信号を、ｅＮＢ１０でのＤＬの変調方式に応じた所定の復調方式により復調するものである。復調結果（データ）には、制御チャネルのデータ（制御データ）と、データチャネルのデータ（ユーザデータ）とが含まれ、制御データはＵＬグラント抽出部４０及びＤＬ情報抽出部４１へ渡され、ユーザデータは復号部３９に渡される。
【００６７】
復号部３９は、復調部３８により得られた復調データ（ユーザデータ）を、ｅＮＢ１０でのＤＬの符号化方式に応じた所定の復号方式で復号するものである。
【００６８】
ＵＬグラント抽出部４０は、前記制御データからＵＬグラント情報を抽出する機能を具備し、抽出したＵＬグラント情報はＵＬリソース制御部４２に転送される。
【００６９】
ＤＬ情報抽出部４１は、前記制御データから自局３０宛の制御データを抽出する機能を具備し、抽出した制御データは復号部４１に転送されて前記ユーザデータと同様に復号される。
【００７０】
そして、ＵＬリソース制御部（圧縮処理計算部）４２は、ＵＬリソースの割り当てを制御するもので、本例においては、例えば図４に示すように、システム情報（システム周波数帯域）に関する情報（システム情報）と、ＲＡＣＨリソース（第１の周波数リソース）に関する情報（割当情報）と、ｅＮＢ１０から個々のＵＥ３０に割り当てられた再送リソース（第２の周波数リソース）に関する情報（割当情報、つまり自局３０のＵＬのスケジューリング情報）とに基づいて、ＲＡＣＨの送信タイミングと再送タイミングとが重なることとなる場合の再送リソース（第３の周波数リソース）に関する情報を求める機能を具備する。
【００７１】
ここで、システム周波数帯域（以下、単に「システム帯域」ともいう）における無線リソースをリソースブロック（ＲＢ）と呼ばれる単位ブロックにて表すものとすると、システム周波数帯域（総ＲＢ）数におけるＵＬリソース（周波数帯域）は、開始ＲＢ、最終ＲＢ及び割当ＲＢ数のうちの少なくともいずれか２つの情報があれば特定することができる。したがって、前記のＲＡＣＨリソースに関する情報（以下、ＲＡＣＨリソース情報という）、再送リソースに関する情報（以下、再送リソース情報という）は、いずれも、開始ＲＢ、最終ＲＢ及び割当ＲＢ数のうちの少なくともいずれか２つの情報を基に特定することが可能である。
【００７２】
なお、これらのＲＡＣＨリソース情報、再送リソース情報は、ＵＬグラント抽出部４０にて、ＵＬグラント情報の情報要素として得られる。また、システム周波数帯域に関する情報（総ＲＢ数）は、予め図示しないメモリ等に固定的に設定されてもよいし、ＵＬグラント情報の情報要素としてｅＮＢ１０から通知されることとしてもよい。
【００７３】
具体的に、圧縮処理計算部４２は、下記の（１）式及び（２）式と、（３Ａ）式又は（３Ｂ）式とを用いて、前記タイミング重複時に用いるべき再送リソース（圧縮リソース）を求める（決定する）。なお、当然ながら、圧縮処理計算部４２により求められた再送リソースには、ｅＮＢ１０から割り当てられた再送リソースの一部が含まれる場合もあるし含まれない場合もある。
【００７４】
圧縮率α＝１−（ＲＡＣＨのＲＢ数）÷（システム帯域のＲＢ数）  …（１）
圧縮後ＲＢ数＝（通常時の割当ＲＢ数）×α                      …（２）
低周波側圧縮ユーザの開始ＲＢ＝α×（通常時の開始ＲＢ）        …（３Ａ）
高周波側圧縮ユーザの最終ＲＢ＝（システム帯域のＲＢ数）−〔（システム帯域のＲＢ数）−（通常時の最終ＲＢ）〕×α                                  …（３Ｂ）
【００７５】
ただし、これらの式により予め計算しておいた値を例えば図５に示すような変換テーブル（テーブル形式のデータ）として図示しないメモリ等に保持しておくことで、これらの式による計算を不要にすることも可能である。
【００７６】
以下、当該圧縮処理計算部４２の具体的な動作例について、図６及び図７を用いて詳述する。
【００７７】
圧縮処理計算部４２は、図６に示すように、前記の（１）式により圧縮率αを計算し（ステップＳ１）、前記の（２）式により圧縮後ＲＢ数を計算する（ステップＳ２）。
【００７８】
例えば図７の（１）及び（２）に示すように、システム帯域のＲＢ数＝２５、ＲＡＣＨリソースのＲＢ数＝６とし、５台のＵＥ３０（ユーザＡ〜Ｅ）にそれぞれＡ〜Ｅで示すＲＢ数（Ａは４ＲＢ、Ｂは３ＲＢ、Ｃは１２ＲＢ、Ｄは２ＲＢ、Ｅは４ＲＢ）の再送リソース（通常時のＲＢ）が割り当てられているものと仮定する。
【００７９】
この場合、圧縮処理計算部４２は、前記の（１）式により、圧縮率α＝１−６／２５＝０．７６を求め、前記の（２）式により、自局に割り当てられた再送リソースのＲＢ数に前記圧縮率α（＝０．７６）を乗じた圧縮後ＲＢ数を求める。ただし、小数点以下は切り捨てとする。
【００８０】
したがって、図７に示す例の場合、（３）及び（４）に示すように、ユーザＡにおける圧縮後ＲＢ数は４×０．７６＝３．０４≒３、ユーザＢにおける圧縮後ＲＢ数は３×０．７６＝２．２８≒２、ユーザＣにおける圧縮後ＲＢ数は１２×０．７６＝９．１２≒９、ユーザＤにおける圧縮後ＲＢ数は２×０．７６＝１．５２≒１、ユーザＥにおける圧縮後ＲＢ数は４×０．７６＝３．０４≒３となる。
【００８１】
そして、圧縮処理計算部４２は、図６に示すように、自局３０に割り当てられた再送リソースの中心周波数と、ＲＡＣＨリソースの中心周波数とを比較して、再送リソースとＲＡＣＨリソースとの重複を避ける方向（圧縮方向：低周波数側か高周波数側か）を求める（ステップＳ３）。
【００８２】
例えば図７に示す例においてＲＢ番号が増える方向を高周波数側と仮定すると、再送リソースＡが割り当てられたＵＥ３０は、再送リソースの中心周波数がＲＡＣＨリソースの中心周波数よりも低いので、ＲＡＣＨリソースを避ける方向を低周波数側と判定し、再送リソースＢが割り当てられたＵＥ３０は、再送リソースの中心周波数がＲＡＣＨリソースの中心周波数よりも高いので、ＲＡＣＨリソースを避ける方向を高周波数側と判定する。同様に、再送リソースＣ，Ｄ，Ｅが割り当てられた各ＵＥ３０も、ＲＡＣＨリソースを避ける方向を高周波側と判定する。
【００８３】
そして、図６に示すように、圧縮処理計算部４２は、前記判定した方向に対応する（３Ａ）式又は（３Ｂ）式により、再送リソースの開始ＲＢ又は最終ＲＢを求める。ただし、小数点以下は四捨五入する（ステップＳ４）。
【００８４】
例えば図７の（５）に示すように、ユーザＡの圧縮処理計算部４２は、前記の（３Ａ）式により、圧縮後の再送リソースの開始ＲＢ＝０．７６×１＝０．７６となるから、小数点以下を四捨五入して１とし、ユーザＢの圧縮処理計算部は、前記の（３Ｂ）式により、圧縮後の再送リソースの最終ＲＢ＝２５−（２５−７）×０．７６＝１１．３２となるから、小数点以下を四捨五入して１１とする。同様にして、ユーザＣ，Ｄ，Ｅの最終ＲＢは、前記の（３Ｂ）式により、それぞれ２０，２１，２５となる。
【００８５】
この段階で、再送リソースとＲＡＣＨリソースとの重複は回避されている場合もあるが、回避できていない場合もある。そこで、図６に示すように、圧縮処理計算部４２は、圧縮後の再送リソースとＲＡＣＨリソースとを比較し、重複の有無を確認する（ステップＳ５）。その結果、重複が生じていなければ、圧縮処理を完了し（ステップＳ５のＮルート）、重複が生じていれば、図７の（６）に示すように、重複がなくなるように再送リソースを再圧縮する（図６のステップＳ５のＹルートからステップＳ６）。
【００８６】
以上のようにして、ｅＮＢ１０の無線エリアに位置するＵＥ３０は、それぞれ、ＵＬリソース制御部（圧縮処理計算部）４２によって、他のＵＥ３０と共用のＲＡＣＨリソースを用いてランダムアクセスのための信号を送信しうる周期的な送信タイミングで、再送データを送信する場合に、当該再送データを送信するのに用いる周波数リソースを、ｅＮＢ１０から割り当てられた再送リソースよりも少なくＲＡＣＨリソースと重複しない周波数リソースに制御し、そのリソースにて再送データの送信を行なう。
【００８７】
ここで、ＵＥ３０がそれぞれ再送リソースを圧縮した場合、その圧縮率α、つまりは、ｅＮＢ１０から割り当てられた周波数リソースとＵＥ３０が自律的に選択した周波数リソースとの比率に応じてＨＡＲＱのパンクチャ率が変化（低下）するから、ＵＥ３０は送信電力を増加して１ビット当りの送信電力を増加させ、送信ビットの信頼度を上げるようにすることが望ましい。その際、消費電力節約の観点から、総送信電力は変えないようにするのが望ましい。
【００８８】
そこで、圧縮処理計算部４２は、オプションとして、例えば図８の（１）に示すような送信電力制御データ（通常時と圧縮時のサブキャリアあたりの送信電力比）を図示しないメモリ等に保持し、当該データを基に電力制御部３４を制御する。即ち、電力制御部３４は、例えば図８の（２）に模式的に示すように、圧縮率αの逆数（１／α）を圧縮前の割り当て再送リソースの送信電力に乗じることで、再送時の１ビットあたりの送信電力を総送信電力は変えずに増加する。
【００８９】
一方、ｅＮＢ１０では、圧縮処理計算部（識別手段）１９が、ＵＥ３０における圧縮処理計算部４２と同じ処理を実施することにより、各ＵＥ３０が自律的に制御（選択）した再送リソース（図７の（６）に示す周波数割り当て状態）を特定（識別）する。そして、ｅＮＢ１０のＵＬスケジューラ２０は、その特定に基づいて復調部１７の動作を制御することで、各ＵＥ３０から再送された信号の受信処理を適切なタイミング、周波数にて実施することが可能となる。
【００９０】
なお、各ＵＥ３０が自律的に選択した再送リソースに関する情報をｅＮＢ１０に通知し、ｅＮＢ１０は、当該通知を基に各ＵＥ３０が自律的に選択した再送リソースを特定することとしてもよい。その場合、ｅＮＢ１０において、前記圧縮制御のための計算処理は不要にできる。前記通知には、使用可能なＵＬの制御チャネルがあれば当該チャネルを用いるのが好ましいが、無ければデータチャネルを用いることもできる。
【００９１】
また、前記圧縮制御を実施すると、システム帯域において空きの周波数リソースが生じることになるが、この空きリソースは空きのままにしておいてもよいし、他のＵＬ通信に割り当てることとしてもよい。他のＵＬ通信に割り当てるなら、ｅＮＢ１０は、ＵＬスケジューラ２０により、圧縮処理計算部１９による処理結果を基に空きリソースをスケジューリングする。
【００９２】
以上のように、本例によれば、同期ＨＡＲＱの再送リソースとＲＡＣＨリソースとの重複（衝突）を、他ユーザ（ＵＥ３０）のスケジューリング情報を必要とせずに、ＵＥ３０が自律的に回避することができるので、ＤＬ及びＵＬ通信のスループット低下を抑制することができる。
【００９３】
また、その際、ｅＮＢ１０に接続している各ユーザがそれぞれ公平に再送リソースの圧縮を行なうから、一部のユーザのみが再送を行なえないといった、ユーザ間の不公平も発生しない。
【００９４】
なお、上述した例は、ＲＡＣＨがシステム帯域において１つだけ設定される場合であるが、ＲＡＣＨが２つ以上設定される場合への適用も可能である。
【００９５】
例えば、図９に示すように、システム帯域の中心周波数（中心ＲＢ）を中心として、対称に２つのＲＡＣＨが設定される場合、それらのＲＡＣＨの中心周波数と、システム帯域の中心周波数とで分割される４つの領域（１）〜（４）を定義すると、前記の式（１），（２），（３Ａ），（３Ｂ）に代えて、以下の式を用いることで、ＲＡＣＨリソースとの重複を避けるように再送リソースの圧縮制御を実施することができる。
【００９６】
圧縮率α＝２×（ＲＡＣＨのＲＢ数）÷（システム帯域のＲＢ数）…（２．１）
圧縮後ＲＢ数＝（通常時の割当ＲＢ数）×α                    …（２．２）
領域（１）の開始ＲＢ＝α×（通常時の開始ＲＢ）              …（２．３Ａ）
領域（２）の最終ＲＢ＝（中心ＲＢ）−（（中心ＲＢ）−（通常時の最終ＲＢ））×α
…（２．３Ｂ）
領域（３）の開始ＲＢ＝（中心ＲＢ）＋α×（（通常時の開始ＲＢ）−（中心ＲＢ））
…（２．３Ｃ）
領域（４）の最終ＲＢ＝（中心ＲＢ）＋（システム帯域のＲＢ数）−（（システム帯域のＲＢ数）−（通常時の最終ＲＢ））×α
…（２．３Ｄ）
【００９７】
ただし、式（２．３Ａ），（２．３Ｂ），（２．３Ｃ），（２．４Ｃ）については、各ＵＥ３０が、ｅＮＢ１０から割り当てられた再送リソースの中心周波数（ＲＢ）と、システム周波数帯域の中心（ＲＢ）及び各ＲＡＣＨリソースの中心周波数（ＲＢ）との比較により、自局３０がいずれの領域（１）〜（４）に属することとなるかを判定し、その判定結果に対応する式を選択的に用いる。
【００９８】
また、ＲＡＣＨがシステム周波数帯域においてＮ個設定される場合は、前記の式（１），（２），（３Ａ），（３Ｂ）は、以下の式に一般化することができる。
【００９９】
圧縮率α＝１−Ｎ×（ＲＡＣＨのＲＢ数）÷（システム帯域のＲＢ数）…（３．１）
圧縮後ＲＢ数＝（通常時の割当ＲＢ数）×α                        …（３．２）
中心ＲＢよりも低周波側圧縮ユーザの開始ＲＢ＝α×（通常時の開始ＲＢ）
…（３．３Ａ）
中心ＲＢよりも高周波側圧縮ユーザの最終ＲＢ＝（システム帯域のＲＢ数）−〔（システム帯域のＲＢ数）−（通常時の最終ＲＢ）〕×α
…（３．３Ｂ）
【０１００】
〔３〕変形例
なお、上述した例によると、圧縮率α＜１であるから、ｅＮＢ１０が割り当てた再送リソースがもともと最小単位（１ＲＢ）であるＵＥ３０については、再送リソースが消失してしまうことになる。また、ＵＬリソースの中には、ＶｏＩＰによる音声通話等、高いＱｏＳ（優先度）の保証が要求される通信に用いられるものもある。
【０１０１】
そのような優先的な取り扱いをすべきＵＬリソースについては、前記圧縮時に再送リソースとして占有することを禁止するＵＬリソース（第４の周波数リソース：以下、占有禁止リソースという）としてＵＥ３０に報知することで、ＲＡＣＨと同様に、ＵＥ３０は、占有禁止リソースとの重複を避けるように再送リソースの圧縮制御を行なうことが可能となる。
【０１０２】
例えば図１０の（１）に示すように、ｅＮＢ１０からＵＥ３０に対して、システム帯域のうちＲＢ番号＝１８，１９の２つのＲＢ（符号Ｘ，Ｙ参照）を占有禁止リソースとして報知する。この報知には、ＵＬ−ＭＡＰ等のＤＬの制御（報知）チャネルを用いることができる。
【０１０３】
ＵＥ３０（圧縮処理計算部４２）は、図６のステップＳ１〜Ｓ６に示した処理と同様の処理を実施することにより、ＲＡＣＨリソースと再送リソースとの重複を避けるように再送リソースの圧縮制御を行ない、さらに、占有禁止リソースとの重複の有無を確認する。その結果、重複があれば、圧縮処理計算部４２は、その重複を避けるように、再度、再送リソースの圧縮制御を行なう。図１０の例であれば、（５）に示すように、ユーザＣに割り当てられた再送リソースが占有禁止リソースＸ，Ｙと重複しているから、（６）に示すように、当該再送リソースを再圧縮している。
【０１０４】
これにより、既述の例と同様の作用効果が得られるほか、優先度の高いＵＬ通信に割り当てられたＵＬリソースを再送リソースで占有してしまうことがないから、優先度の高い通信のＱｏＳを容易に保証することが可能となる。
【０１０５】
なお、ＲＡＣＨリソース及び占有禁止リソースについての、再送リソースとの重複の有無の確認、再圧縮制御の順序は不問である。占有禁止リソースとの重複を先に確認して再圧縮制御を行なってもよいし、並行して行なうことも可能である。
【０１０６】
〔４〕その他
前記圧縮率αは、ＵＥ３０間での公平性を保つためにＵＥ３０間で共通にしているが、一定のルールの下にＵＥ３０別に異なる圧縮率としてもよい。例えば、優先度（ＱｏＳ等）の高いユーザ（ＵＥ３０）ほど圧縮率αが小さくなる（つまり、より多くの再送リソースが確保される）ように重み付けしてもよい。その場合、個々のＵＥ３０についての圧縮率は、ｅＮＢ１０からＵＥ３０へ報知チャネルを用いて通知してもよいし、ＵＥ３０毎に予め固定的に設定しておいてもよい。
【０１０７】
また、ＲＡＣＨは複数のＵＥ３０間で共用されるチャネル（リソース）であり、ＵＥ３０が個別に再送に用いるチャネル（リソース）はｅＮＢ１０から各ＵＥ３０に個別に割り当てられる個別チャネルとして位置づけられるから、ＲＡＣＨ以外の共用チャネルと再送以外に用いられる個別チャネルとの間について、上述した衝突回避制御（圧縮制御）を適用することも可能である。
【０１０８】
〔５〕付記
（付記１）
無線基地局と、前記無線基地局と通信する複数の無線端末とをそなえた無線通信システムにおける上り通信方法であって、
複数の前記無線端末のそれぞれは、
他の無線端末と共用の第１の周波数リソースを用いて第１の信号を送信しうる周期的な送信タイミングで、第２の信号を送信する場合に、前記第２の信号を送信するのに用いる周波数リソースを、前記無線基地局から割り当てられた第２の周波数リソースよりも少なく前記第１の周波数リソースと重複しない第３の周波数リソースに制御し、
前記制御された第３の周波数リソースにて前記第２の信号を前記無線基地局へ送信する、
ことを特徴とする、無線通信システムにおける上り通信方法。
【０１０９】
（付記２）
前記第３の周波数リソースは、前記無線通信システムで利用可能なシステム周波数リソースに関する情報と、前記第１の周波数リソースの割り当てに関する情報とに基づいて、前記各無線端末が自律的に決定する、ことを特徴とする、付記１記載の無線通信システムにおける上り通信方法。
【０１１０】
（付記３）
前記システム周波数リソースに関する情報、および、前記第１の周波数リソースの割り当てに関する情報は、それぞれ、前記無線基地局から通知される、ことを特徴とする、付記２記載の無線通信システムにおける上り通信方法。
【０１１１】
（付記４）
前記無線基地局は、
前記システム周波数リソースに関する情報と、前記第１の周波数リソースの割り当てに関する情報とに基づいて、前記各無線端末がそれぞれ前記第２の信号を送信するのに用いる前記第３の周波数リソースを識別し、
識別した前記各第３の周波数リソースにて前記各第２の信号を受信処理する、ことを特徴とする、付記２又は３に記載の無線通信システムにおける上り通信方法。
【０１１２】
（付記５）
前記無線基地局は、
前記各無線端末に対して、前記第３の周波数リソースとして用いることを禁止する第４の周波数リソースに関する情報を報知し、
前記各無線端末は、
前記第４の周波数リソースと重複しない周波数リソースに前記第３の周波数リソースを制御する、ことを特徴とする、付記１〜４のいずれか１項に記載の無線通信システムにおける上り通信方法。
【０１１３】
（付記６）
前記各無線端末のそれぞれは、
前記第２の周波数リソースと前記第３の周波数リソースとの比率に応じて、前記第２の信号の送信電力を制御する、ことを特徴とする、付記１〜５のいずれか１項に記載の無線通信システムにおける上り通信方法。
【０１１４】
（付記７）
前記第１の信号は、前記無線端末が前記無線基地局に対してランダムアクセスするための信号であり、前記第２の信号は、前記無線端末が前記無線基地局に対して周期的な所定の送信タイミングで再送すべきことが規定された再送信号である、ことを特徴とする、付記１〜６のいずれか１項に記載の無線通信システムにおける上り通信方法。
【０１１５】
（付記８）
無線基地局と、前記無線基地局と通信する複数の無線端末とをそなえた無線通信システムであって、
前記無線端末が前記無線基地局へ周期的な送信タイミングで第１の信号を送信するのに用いる、前記無線端末に共用の第１の周波数リソースを割り当てる手段と、
前記無線端末が前記無線基地局へ第２の信号を送信するのに用いる第２の周波数リソースを割り当てる手段と、
前記各無線端末が前記第１の信号の送信タイミングで前記第２の信号を送信する場合に、前記第２の周波数リソースを、前記割り当て時よりも少なく前記第１の周波数リソースと重複しない第３の周波数リソースに制御する手段と、
をそなえたことを特徴とする、無線通信システム。
【０１１６】
（付記９）
無線基地局と通信する無線端末であって、
他の無線端末と共用の第１の周波数リソースを用いて第１の信号を送信しうる周期的な送信タイミングで、第２の信号を送信する場合に、前記第２の信号を送信するのに用いる周波数リソースを、前記無線基地局から割り当てられた第２の周波数リソースよりも少なく前記第１の周波数リソースと重複しない第３の周波数リソースに制御する制御手段と、
前記制御された第３の周波数リソースにて前記第２の信号を前記無線基地局へ送信する送信手段と、
をそなえたことを特徴とする、無線端末。
【０１１７】
（付記１０）
前記制御手段は、
前記無線通信システムで利用可能なシステム周波数リソースに関する情報と、前記第１の周波数リソースの割り当てに関する情報とに基づいて、前記第３の周波数リソースを自律的に決定する、ことを特徴とする、付記９記載の無線端末。
【０１１８】
（付記１１）
前記システム周波数リソースに関する情報、および、前記第１の周波数リソースの割り当てに関する情報を、それぞれ、前記無線基地局から受信する受信手段をさらにそなえ、
前記制御手段は、
前記受信手段で受信した前記の各情報に基づいて前記第３の周波数リソースの決定を行なう、ことを特徴とする、付記１０記載の無線端末。
【０１１９】
（付記１２）
複数の無線端末と通信しうる無線基地局であって、
前記無線端末が前記無線基地局へ周期的な送信タイミングで第１の信号を送信するのに用いる、前記無線端末に共用の第１の周波数リソースと、前記無線端末が前記無線基地局へ第２の信号を送信するのに用いる第２の周波数リソースとを割り当てるリソース割当手段と、
前記各無線端末がそれぞれ、前記第１の信号の送信タイミングで前記第２の信号を送信する場合に、前記第２の周波数リソースを、前記割り当て時よりも少なく前記第１の周波数リソースと重複しない第３の周波数リソースに所定のルールに従って制御したときの前記第３の周波数リソースを、識別する識別手段と、
前記識別手段による識別結果に基づいて前記各第２の信号の受信処理を制御する制御手段と、
をそなえたことを特徴とする、無線基地局。
【図面の簡単な説明】
【０１２０】
【図１】本発明の一実施形態の概要を説明する図である。
【図２】一実施形態に係る無線通信システムの構成を示す図である。
【図３】図２に示す無線基地局（ｅＮＢ）及び無線端末（ＵＥ）の構成を示すブロック図である。
【図４】図３に示す圧縮処理計算部の入出力を説明する図である。
【図５】図３に示す圧縮処理計算部による計算に代えて用いることのできる変換テーブルの一例を示す図である。
【図６】図３に示す圧縮処理計算部の動作を説明するフローチャートである。
【図７】図３に示す圧縮処理計算部による圧縮動作を説明すべく周波数リソースの割当状態を示す図である。
【図８】図３に示す電力制御部３４による電力制御を説明するための図である。
【図９】図２に示す無線通信システムにおいてＲＡＣＨが２つ割り当てられた場合の圧縮制御を説明するための図である。
【図１０】図３に示す圧縮処理計算部による圧縮動作の変形例を説明すべく周波数リソースの割当状態を示す図である。
【符号の説明】
【０１２１】
１０  無線基地局（ｅＮＢ）
１１  符号化部
１２  リソースマッピング部
１３  変調部
１４  送信処理部（ＴＸ）
１５  アンテナ
１６  受信処理部（ＲＸ）
１７  復調部
１８  復号部
１９  圧縮処理計算部
２０  ＵＬスケジューラ
２１  ＤＬスケジューラ
２２  測定部
３０  無線端末（ＵＥ）
３１  符号化部
３２  リソースマッピング部
３３  変調部
３４  電力制御部
３５  送信処理部
３６  アンテナ
３７  受信処理部
３８  復調部
３９  復号部
４０  ＵＬグラント抽出部
４１  ＤＬ情報抽出部
４２  ＵＬリソース制御部（圧縮処理計算部）
【図１】
0005167760.tif 000002
【図２】
0005167760.tif 000003
【図３】
0005167760.tif 000004
【図４】
0005167760.tif 000005
【図５】
0005167760.tif 000006
【図６】
0005167760.tif 000007
【図７】
0005167760.tif 000008
【図８】
0005167760.tif 000009
【図９】
0005167760.tif 000010
【図１０】
0005167760.tif 000011